(57)【特許請求の範囲】
【請求項１】
電力を供給可能な充電部と広告データを含むデータを記憶可能な記憶部とを有する充電器と、当該充電器が着脱可能に接続されるインターフェース部を備えた携帯電話機にて認証されるユーザと同一のユーザ認証が行われるユーザ端末と、前記充電器が有する前記記憶部からデータを読取る店舗端末と、前記ユーザ端末と前記店舗端末と通信可能に接続されたサーバと、からなるシステムにおいて実行される広告データを表示する方法であって、
前記充電器が、前記携帯電話機と接続することにより、前記携帯電話機に電力を供給するステップと、
前記充電器が、前記記憶部に記憶される前記広告データを前記携帯電話機に送信するステップと、
前記携帯電話機が、前記広告データを受信し、受信した該広告データを、該携帯電話機が有する表示部に表示するステップと、
前記携帯電話機が、前記充電器の前記記憶部に対して、当該携帯電話機のユーザを特定するユーザ特定データを送信するステップと、
前記充電器が、前記携帯電話機から前記ユーザ特定データを受信して前記記憶部に記憶するステップと、
前記店舗端末が、前記充電器の前記記憶部に記憶された広告データと、前記携帯電話機との接続により前記充電器の前記記憶部に記憶された前記ユーザ特定データと、を読取るステップと、
前記店舗端末が、前記ユーザ特定データと前記広告データと、を前記サーバに送信するステップと、
前記サーバが、前記ユーザ特定データと前記広告データとを受信し、関係付けて記憶するステップと、
前記サーバが、前記ユーザ端末を介して、前記ユーザ特定データに関係付けられたユーザからのアクセスに応じて、当該ユーザ特定データに関係付けて記憶した広告データに関連した広告データを前記ユーザ端末に送信するステップと、
を備えることを特徴とする広告データを表示する方法。
【請求項２】
電力を供給可能な充電部と広告データを含むデータを記憶可能な記憶部とを有する充電器が着脱可能に接続される携帯電話機にて認証されるユーザと同一のユーザ認証が行われるユーザ端末と、前記充電器が有する前記記憶部からデータを読取る店舗端末と、に通信可能に接続されたサーバであって、
前記充電器の前記記憶部に記憶された前記広告データであって、前記充電器が、前記携帯電話機と接続することによって電力を供給する際に、前記携帯電話機に送信することで、前記携帯電話機が有する表示部に表示された広告データと、前記携帯電話機のユーザを特定するユーザ特定データであって、前記充電器が、前記携帯電話機と接続することによって電力を供給する際に、前記携帯電話機から受信することで、前記充電器の前記記憶部に記憶されたユーザ特定データと、を前記充電器から読み取って記憶している前記店舗端末から、当該ユーザ特定データと、当該広告データとを受信する手段と、
受信した前記ユーザ特定データと前記広告データとを関係付けて記憶する手段と、
前記ユーザ端末を介して、前記ユーザ特定データに関係付けられたユーザからのアクセスに応じて、当該ユーザ特定データに関係付けて記憶した広告データに関連した広告データを前記ユーザ端末に送信する手段と、
を備えることを特徴とするサーバ。
【発明の詳細な説明】
【技術分野】
【０００１】
本発明は、充電器の利用により広告データを表示させる方法及び電子機器に関する。特に、電子機器を利用して広告データを配信することに関する。
【背景技術】
【０００２】
従来、広告の認知方法は、テレビやラジオなどを利用して行われている他に、ダイレクトメールやちらしなどを利用して行われている。現在では、インターネットの普及と共にパソコンや携帯電話などを利用したバナー広告やメール広告などがある。
【０００３】
このように、広告はさまざまな電子機器を利用して行われているが、電子機器を利用した広告をさらに促進する方法として、例えば、特許文献１がある。
特許文献１には、充電時を利用して広告することを課題として、携帯電話機の充電時に直接、当該広告内容に関する情報を携帯電話機へ自動登録する携帯電話機用充電器が記載されている。また、メール・インターネット等により間接的にメール配信またはインターネット上の広告サイトへ接続する携帯電話機用充電器について記載されている。
【特許文献１】特開２００４−２０１２５６号公報
【発明の開示】
【発明が解決しようとする課題】
【０００４】
しかしながら、特許文献１のように携帯電話機用充電器を利用する広告配信方法では、携帯電話機用充電器に適合した機種のみに広告配信の範囲が限られてしまう。つまり、広告配信が可能な範囲が、携帯電話が利用されているユーザのうち、携帯電話機用充電器が使用されている範囲に限定されてしまう。すなわち、ハードウェアの利用範囲が直接、広告の提供範囲となってしまうため、広告配信範囲が限定されてしまう。
【０００５】
一方、ネットワークが提供する広告の表示方法では、携帯電話からネットワークにつなげて、広告に関するデータをダウンロードをしなくてはならず、通信料金が加算されるとともに、広告の配信を必要と考えていないユーザには、無駄なデータ通信を行っていると感じさせてしまう。このように、広告主にとっては、広告データを、一般消費者となり得るユーザに配信する機会を失っている。そこで、広告を配信されるユーザに対して、効果的な広告配信方法であって、多くの範囲で広告を提供することが可能な方法が望まれている。
【０００６】
本発明は、電子機器の利用ユーザに対して、広告データの配信を広範囲に行い、広告効果の向上を図る方法及び電子機器を提供することを目的とする。
【課題を解決するための手段】
【０００７】
本発明では、以下のような解決手段を提供する。
【０００８】
（１）  ユーザの入力操作を受付ける操作部（例えば、後述の操作部２１３）と、データを記憶する記憶部（例えば、後述のメモリ２１２）と、着脱可能な充電器（例えば、後述の充電器６０）を接続することで電源が供給される電源部（例えば、後述の充電池２２０）と、前記記憶部が記憶したデータを表示する表示部（例えば、後述の表示部２１４）と、を備える電子機器に広告データを表示する方法であって、
前記電子機器に、前記広告データを予め記憶した記憶装置を有する充電器が接続されたことに応じて、前記電源部に電気の供給を行うステップと、
前記充電器の接続に応じて、前記電子機器が前記広告データを受信するステップ（例えば、後述の図３のステップＳ１０３）と、
前記操作部に対する前記ユーザからの入力操作の信号を受信するステップ（例えば、後述の図６のステップＳ３０１）と、
前記入力操作の信号に応じて、前記受信した広告データを、前記表示部に表示するステップ（例えば、後述の図６のステップＳ３０４）と、を備えることを特徴とする広告データを表示する方法。
【０００９】
（１）の構成によれば、本発明に係る広告データを表示する方法は、広告データを予め記憶した記憶装置を有する充電器が接続されたことに応じて、電子機器に電源供給を行い、充電器の接続に応じて、電子機器が広告データを受信する。そして、操作部に対するユーザからの入力操作の信号を受信したことに応じて、電子機器が広告データを表示部に表示する。
【００１０】
したがって、本発明に係る広告データを表示する方法は、充電器を電子機器に接続することで、予め充電器に記憶された広告データを受信して、この広告データを表示するから、広告データをネットワークからダウンロードする必要がなく、電子機器に広告配信を行うことができる。ここで、電子機器は、単に充電器を接続すれば、広告を配信することが可能であるため、通信機能を有していない電子機器であっても、広告配信を行うことが可能である。
【００１１】
さらに、広告データの表示は、ユーザの操作部に対する入力操作に応じて、行われるため、ユーザが電子機器の表示部を視認し、画面に集中するタイミングで、広告データを表示するため、従来よりも効果的に、広告データを配信することが可能である。したがって、電子機器の利用ユーザに対して、従来よりも広告データの配信を広範囲に行い、広告効果の向上を図る方法を提供することができる。
【００１２】
（２）  ユーザの入力操作を受付ける操作部（例えば、後述の操作部２１３）と、
データを記憶する記憶部（例えば、後述のメモリ２１２）と、
着脱可能な充電器（例えば、後述の充電器６０）を接続することで電源が供給される電源部（例えば、後述の充電池２２０）と、
前記記憶部が記憶したデータを表示する表示部（例えば、後述の表示部２１４）と、を備える電子機器（例えば、後述の携帯電話機２００）であって、
広告データを予め記憶した記憶装置を有する充電器を接続し、前記電源部に電気の供給を可能とするインターフェース手段（例えば、後述のＣＰＵ２１１、インターフェース部２１９）と、
前記インターフェース手段に対する前記充電器の接続に応じて、前記広告データを受信する受信手段（例えば、後述のＣＰＵ２１１、インターフェース部２１９）と、
前記操作部に対する前記ユーザからの入力操作に基づいて、前記受信手段が受信した広告データを、前記表示部に表示する表示制御手段（例えば、後述のＣＰＵ２１１、表示部２１４）と、を備えることを特徴とする電子機器。
【００１３】
（２）の構成によれば、本発明に係る電子機器は、広告データを予め記憶した記憶装置を有する充電器が接続されたことに応じて、電子機器に電源供給が行われ、充電器の接続に応じて、電子機器が広告データを受信する。そして、操作部に対するユーザからの入力操作の信号を受信したことに応じて、電子機器が広告データを表示部に表示する。
【００１４】
したがって、（１）の発明と同様の作用、効果を奏する電子機器を提供することができる。
【００１５】
（３）  前記表示制御手段は、複数の広告データから一の広告データを選択し、スクロール表示することで、前記受信手段が受信した広告データを、前記表示部に表示することを特徴とする（２）に記載の電子機器。
【００１６】
（３）の構成によれば、表示制御手段は、複数の広告データから一の広告データを選択し、スクロール表示するため、一画面で表示する広告メッセージの領域が画面領域よりも大きい場合には、スクロール表示により、全てのメッセージをユーザに視認させることが可能となる。
【００１７】
（４）  前記電子機器は、メール送受信機能を有する携帯電話であって、
前記表示制御手段は、前記メール送受信機能の起動時のための入力操作に基づいて、前記受信手段が受信した広告データを、前記表示部に表示することを特徴とする請求項２又は３に記載の電子機器。
【００１８】
（４）の構成によれば、表示制御手段は、前記メール送受信機能の起動時のための入力操作に基づいて広告データを表示部に表示するため、ユーザが表示部を視認する際に、広告データを表示するため、効果的に広告を配信することが可能である。
【００１９】
（５）  着脱可能な充電器（例えば、後述の充電器６０）が接続されるインターフェース部を備えた携帯電話機（例えば、後述の携帯電話機２００）にて認証されるユーザと同一のユーザ認証が行われるユーザ端末（例えば、後述のユーザ端末２０）と、前記充電器からデータを読取る店舗端末（例えば、後述の店舗端末５０）と、前記ユーザ端末と前記店舗端末と通信可能に接続されたサーバ（例えば、後述の広告配信サーバ１０）と、からなるシステムにおいて実行される広告データを表示する方法であって、
前記携帯電話機から充電器に対して、携帯電話機のユーザを特定するユーザ特定データを送信するステップと、
前記店舗端末が、当該充電器に記憶された広告データと、前記ユーザ特定データと、を前記充電器から読取るステップと、
前記店舗端末が、前記ユーザ特定データと前記広告データと、を前記サーバに送信するステップと、
前記サーバが、前記ユーザ特定データと前記広告データとを受信し、関係付けて記憶するステップと、
前記サーバが、前記ユーザ端末を介して、前記ユーザ特定データに関係付けられたユーザからのアクセスに応じて、前記ユーザ端末に前記広告データに関連したデータを送信するステップと、
を備えることを特徴とする広告データを表示する方法。
【００２０】
（５）の構成によれば、携帯電話機から充電器に対して、携帯電話機のユーザを特定するユーザ特定データを送信し、店舗端末が、当該充電器に記憶された広告データと、ユーザ特定データと、を前記充電器から読取って、ユーザ特定データと広告データと、をサーバに送信する。そして、サーバが、ユーザ特定データと広告データとを受信し、関係付けて記憶し、さらに、サーバが、ユーザ端末を介して、ユーザ特定データに関係付けられたユーザからのアクセスに応じて、ユーザ端末に広告データに関連したデータを送信する。
【００２１】
したがって、携帯電話機にて使用した充電器に記憶された広告データに関連したデータが、この携帯電話機のユーザが使うユーザ端末に送信されるため、携帯電話機における広告配信とユーザ端末における広告配信を連動させることが可能となる。すなわち、充電器を使用するために、携帯電話機で視認した広告データに関連した広告を、ユーザ端末においても視認させることが可能である。
【００２２】
（６）  着脱可能な充電器が接続されるインターフェース部を備えた携帯電話機（例えば、後述の携帯電話機２００）にて認証されるユーザと同一のユーザ認証が行われるユーザ端末（例えば、後述のユーザ端末２０）と、前記充電器からデータを読取る店舗端末（例えば、後述の店舗端末５０）と、通信可能に接続されたサーバ（例えば、後述の広告配信サーバ１０）であって、
前記携帯電話機のユーザを特定するユーザ特定データと、当該充電器に記憶された広告データと、を前記店舗端末から受信する手段と、
当該ユーザ特定データと当該広告データとを関係付けて記憶する手段と、
前記ユーザ端末を介して、前記ユーザ特定データに関係付けられたユーザからのアクセスに応じて、前記ユーザ端末に前記広告データに関連したデータを送信する手段と、
を備えることを特徴とするサーバ。
【００２３】
（６）の構成によれば、サーバは、携帯電話機のユーザを特定するユーザ特定データと、充電器に記憶された広告データと、を店舗端末から受信し、ユーザ特定データと当該広告データとを関係付けて記憶して、ユーザ端末を介してユーザ特定データに関係付けられたユーザからのアクセスに応じて、ユーザ端末に広告データに関連したデータを送信する。
【００２４】
したがって、このサーバによれば、携帯電話機にて使用した充電器に記憶された広告データに関連したデータが、この携帯電話機のユーザが使うユーザ端末に送信されるため、携帯電話機における広告配信とユーザ端末における広告配信を連動させることが可能となる。すなわち、充電器を使用するために、携帯電話機で視認した広告データに関連した広告を、ユーザ端末においても視認させることが可能である。
【発明の効果】
【００２５】
本発明によれば、電子機器の利用ユーザに対して、従来よりも広告データの配信を広範囲に行い、広告効果の向上を図る方法及び電子機器を提供することができる。
【発明を実施するための最良の形態】
【００２６】
以下、本発明の実施形態について図を参照しながら説明する。
【００２７】
図１は、本発明の一実施形態に係る携帯電話機２００の動作内容を示す概念図である。
【００２８】
携帯電話機２００は、文字等のテキストデータ、画像データ等の各種データを表示する表示部２１４と、外部の接続機器と接続され、データ通信及び電源供給を可能とするインターフェース部２１９とを有している。
【００２９】
ここで、電子機器は、携帯電話機以外に、表示部２１４とインターフェース部２１９とを備えていればよい。例えば、電子機器は、携帯電話機２００を用いて説明しているが、小型情報管理端末、ゲーム機等、ユーザに表示することが可能な電子機器として、様々なものが採用可能である。また、インターフェース部２１０は、ＵＳＢデバイス、ＩＥＥＥ１３９４（電源供給対応）等、電源を供給し、データを送受信することが可能な、各種のインターフェースが採用可能である。
【００３０】
充電器６０は、広告データを予め記憶した記憶部６３を有している。携帯電話機２００は、充電器６０から、インターフェース部２１９を介して、広告データを受信する。そして、携帯電話機２００のＣＰＵ２１１は、ユーザが携帯電話機２００を操作する所定のタイミング、例えば、操作部２１３を操作する（図１で、ユーザの手９０１，９０２が操作していることを示している）タイミングで、受信した広告データに基づいて表示部２１４に広告メッセージ２５１を表示する。
【００３１】
充電器６０は、広告データを提供する広告事業者から無料で配布されてもよい。すなわち、広告データを提供する広告事業者が充電器６０に電気を供給して、携帯電話機２００を使用するユーザに充電器６０を提供する。
【００３２】
図２は、本発明の一実施形態係る携帯電話機２００のハードウェア構成の一例を示す図である。図２に示すように、ＣＰＵ（Ｃｅｎｔｒａｌ  Ｐｒｏｃｅｓｓｉｎｇ  Ｕｎｉｔ）２１１、メモリ２１２、操作部２１３、表示部２１４、通信部２１５、撮像部２１６、スピーカ２１７、マイク２１８、インターフェース部２１９がバスラインＢＵＳにより接続されて携帯電話機２００を構成する。充電池２２０は、インターフェース部２１９と接続されている。
【００３３】
ＣＰＵ２１１は、携帯電話機２００を統括的に制御する部分であり、メモリ２１２に記憶された各種プログラムを適宜読み出して実行することにより、上述したハードウェアと協働し、本発明に係る各種機能を実現している。
【００３４】
メモリ２１２は、ＲＯＭ（Ｒｅａｄ  Ｏｎｌｙ  Ｍｅｍｏｒｙ）又は、ＲＡＭ（Ｒａｎｄｏｍ  Ａｃｃｅｓｓ  Ｍｅｍｏｒｙ））であってよく、携帯電話機２００で機能する各種プログラム及び、広告データを含む各種データを記憶する装置である。
【００３５】
操作部２１３は、各種設定や入力操作を行う操作ボタン群、決定操作ボタン等を備えており、操作部２１３による入力情報はＣＰＵ２１１の制御下で処理される。ここで、操作部２１３は、ユーザからの操作入力による押圧を感知して、ＣＰＵ２１１にＢＵＳを介して信号を送信する。ＣＰＵ２１１は、この信号を受信することで、操作部２１３への操作入力があったことを判断する。さらに、操作部２１３は、携帯電話機２００が折り畳み式の場合には、折り畳み状態から開く操作をユーザが行った場合に、この「開く」操作を検知するデバイスを含む。
【００３６】
表示部２１４は、ＬＣＤ（Ｌｉｑｕｉｄ  Ｃｒｙｓｔａｌ  Ｄｉｓｐｌａｙ）や有機ＥＬ（Ｅｌｅｃｔｏｒｏ  Ｌｕｍｉｎｅｓｃｅｎｃｅ）によって構成され、各種データを表示する。
【００３７】
通信部２１５は、携帯電話として機能するために無線通信に必要なアンテナ及びアンテナ信号処理回路等を含んで構成される。インターフェース部２１９は、携帯電話機と周辺機器とを接続し、データの送受信及び電源供給を行う。充電池２２０は、携帯電話機２００の各部に電源を供給する。充電池２２０は、インターフェース部２１９と接続され、インターフェース部２１９を介して、充電器６０から電源が供給される。
【００３８】
充電器６０は、広告データを予め記憶した記憶部６３と、携帯電話機２００と接続することで、充電池６４の充電池により電源供給を行うインターフェース部６１と、充電池を有する充電池６４と、携帯電話機２００とデータの送受信を制御する制御部６２と、を備える。記憶部６３は、メモリ（ＲＡＭ（Ｒａｎｄｏｍ  Ａｃｃｅｓｓ  Ｍｅｍｏｒｙ））であってよく、制御部６２は、ＣＰＵ（Ｃｅｎｔｒａｌ  Ｐｒｏｃｅｓｓｉｎｇ  Ｕｎｉｔ）であってよい。
【００３９】
充電器６０のインターフェース部６１は、充電池６４から供給される電源を、接続される電子機器へ供給することが可能なインターフェースであり、かつ、接続することで、記憶部６３に記憶したデータのデータ送信、及び、データを受信して記憶部６３にデータを記憶することが可能なデバイスである。充電器６０は、インターフェース部６１を介して、携帯電話機２００と着脱可能である。
【００４０】
図３は、携帯電話機２００のＣＰＵ２１１が実行する広告データ記憶処理を示すフローチャートである。広告データ記憶処理は、充電器６０を携帯電話機２００に接続した時に起動され実行される。
【００４１】
ＣＰＵ２１１は、ステップＳ１０１において、インターフェース部２１９への充電器６０の接続を検知する。具体的には、ＣＰＵ２１１は、定期的にインターフェース部２１９に対して信号を送信し、周辺機器（充電器６０）が接続されたか否かを判断する。この際に、充電器６０が接続されていることが、判断できた場合（ステップＳ１０１：ＹＥＳ）には、インターフェース部２１９への充電器６０の接続を検知したとして、ステップＳ１０２に処理を移し、判断できなかった場合（ステップＳ１０１：ＮＯ）には、インターフェース部２１９への充電器６０の接続を検知できなかったとして、処理を終了し、再度、接続待機をする。
【００４２】
ここで、ステップＳ１０１において、充電器６０が接続されると自動的に、充電器６０から供給される電源を充電池２２０に供給する。
【００４３】
ステップＳ１０２において、ＣＰＵ２１１は、充電器６０からの広告データの受信待ちとなる。そして、ＣＰＵ２１１は、ステップＳ１０４において、広告データをインターフェース部２１９を介して、充電器６０から受信した場合（ステップＳ１０３：ＹＥＳ）には、受信した広告データをメモリ２１２に記憶する（ステップＳ１０４）。充電器６０から受信しなかった場合（ステップＳ１０４：ＮＯ）には、処理待ちとなる。ステップＳ１０４にて、処理を終了する。ここで、受信する広告データは、複数であってよい。例えば、広告データを含む広告データテーブルを、携帯電話機２００が受信してもよい。
【００４４】
図４は、充電器６０の制御部６２が実行する充電器の広告データ送信処理を示すフローチャートである。広告データ送信処理は、充電器６０を携帯電話機２００に接続した時に起動され実行される。
【００４５】
ステップＳ２０１において、制御部６２は、インターフェース部６１への携帯電話機２００の接続を検知する。具体的には、制御部６２は、定期的にインターフェース部６１に対して信号を送信し、携帯電話機２００が接続されたか否かを判断する。この際に、携帯電話機２００が接続されていることが、判断できた場合（ステップＳ２０１：ＹＥＳ）には、インターフェース部６１への携帯電話機２００の接続を検知したとして、ステップＳ２０２に処理を移し、判断できなかった場合（ステップＳ２０１：ＮＯ）には、インターフェース部６１への接続を検知できなかったとして、処理を終了し、再度、接続待機をする。
【００４６】
ここで、ステップＳ２０１において、携帯電話機２００が接続されると自動的に、充電器６０の充電池６４が供給する電源を充電池２２０に供給する。
【００４７】
そして、制御部６２は、携帯電話機２００に対してデータ通信が可能であるかを確認し、可能であると判断した場合（ステップＳ２０２：ＹＥＳ）には、記憶部６３に記憶された広告データを携帯電話機２００に送信する（ステップＳ２０３）。制御部６２は、データ通信が可能でないと判断した場合（ステップＳ２０２：ＮＯ）には、処理待ちとなる。ステップＳ２０３にて、処理を終了する。
【００４８】
図５は、充電器６０に記憶される広告データを示す広告データテーブルを示す。広告データは、広告データの名称となるインデックスと、携帯電話機２００に表示されるメッセージとなる広告メッセージとから構成される。広告データテーブルは、各種の広告データを関係付けたテーブルである。ここで、広告メッセージは、テキストデータである。他の実施例として、広告メッセージは、メッセージが示された画像データであってもよい。この場合には、インデックスと画像データが関係付けられた広告データテーブルとなる。
【００４９】
図６は、携帯電話機２００のＣＰＵ２１１が実行する広告データ表示処理を示すフローチャートである。広告データ表示処理は、ここでは、メール送受信機能をユーザが使用する際に開始される。後述するように、ステップＳ３０２からステップＳ３０４の処理の実行開始は、ステップＳ３０１のように、メール送受信機能をユーザが使用する際に限られない。
【００５０】
ＣＰＵ２１１は、ステップＳ３０１において、操作部２１３からの信号を受信したか否かを判断する。より具体的には、ＣＰＵ２１１は、ユーザがメール送受信機能を使用するために、操作部２１３を操作したか否かを受信した信号により判断する。この判断がＹＥＳの場合は、処理をステップＳ３０２に移し、ＮＯの場合は処理待ちとなる。
【００５１】
ステップＳ３０２において、ＣＰＵ２１１は、メモリ２１２に広告データが記憶されているか否かを判断する。この判断がＹＥＳの場合は、処理をステップＳ３０３に移し、ＮＯの場合は処理を終了する。
【００５２】
ステップＳ３０３において、ＣＰＵ２１１は、広告データの選択処理を行う。すなわち、ＣＰう２１１は、充電器６０から複数の広告データを受信した場合（広告データテーブルを含む）には、広告データを選択する。例えば、複数の広告データのうち、一の広告データを乱数により、ランダムに決定してもよい。
【００５３】
ステップＳ３０４において、ＣＰＵ２１１は、選択した広告データを携帯電話機２００の表示部２１４に表示する。この際、表示領域が、図７に示すように、広告メッセージの量に比べて小さい場合には、ＣＰＵ２１１は、横スクロールによりメッセージを表示する。すなわち、一画面で表示する広告メッセージの領域が画面領域よりも大きい場合には、スクロール表示により、徐々に、例えば、右から左にメッセージを移動させることで、全てのメッセージをユーザに視認させる態様であってよい。
【００５４】
図７は、携帯電話機２００のメール送受信機能における、送信メールの作成中２５０に、ＣＰＵ２１１が、広告データ２５１を表示部２１４の下部に横スクロール表示させたことを示す表示例である。
【００５５】
このようにユーザがメール作成を行うタイミングで、広告データが表示されるため、効果的に、広告データをユーザに視認させることが可能である。上述したように、広告データ表示処理は、メール送受信機能の使用時にのみ開始される場合に限られず、例えば、通話機能、ブラウザ機能、カメラ機能等の使用時に開始されてもよい。
【００５６】
図８は、広告データ２５１が表示された携帯電話機２００を示すが、このように、待受画面２５２において、広告データがスクロール表示されてもよい。この場合には、例えば、携帯電話機２００は、折り畳み式であり、操作部２１３からの操作（折り畳みを開く操作）に応じて、広告データをスクロール表示する。
【００５７】
次に、充電器６０の使用後、充電器６０が回収された場合に、さらに、携帯電話機２００に充電器６０を使用したユーザに対して、充電器６０により表示した広告データに関連する広告を、ユーザ端末を介して提供することについて説明する。充電器６０が店舗等で回収されることで、再利用が行われることから、環境問題を考慮した運用が可能である。
【００５８】
図９は、充電器６０、ユーザ端末２０、店舗端末５０、広告配信サーバ１０とから構成されるシステム１の構成図である。ユーザ端末２０と、店舗端末５０と、広告配信サーバ１０は、インターネット等の通信回線３を介して、互いに通信可能に接続されている。
【００５９】
ユーザ端末２０は、Ｗｅｂブラウザ機能を有するコンピュータであり、Ｗｅｂサーバにアクセスし、ＩＤやパスワードが入力されることで、携帯電話機２００にて認証されるユーザと同一のユーザ認証を行うことが可能な端末である。
【００６０】
店舗端末５０は、ＰＯＳ端末（販売時点情報管理端末）であってよく、充電器６０の記憶部６３に記憶されたデータを読取り可能なデータ読取部５１と、通信回線３と通信を実現する通信部５３と、データを記憶する記憶部５４と、前記記憶部５４に記憶されたプログラムを実行する制御部５２と、を備える。店舗端末５０は、充電器６０を回収する店舗等に設置される。
【００６１】
広告配信サーバ１０は、Ｗｅｂサーバであり、ユーザ端末２０からのアクセスに応じて、Ｗｅｂページの送信を行う。広告配信サーバ１０は、店舗端末５０から送信されるデータを受信する。広告配信サーバ１０は、予め登録されたユーザのユーザ認証が可能であり、ユーザに関するデータが記憶されたユーザ・データベース１１を備える。
【００６２】
図１０は、携帯電話機２００、充電器６０、店舗端末５０、広告配信サーバ１０、ユーザ端末２０が実行する処理を示すフローチャートである。
【００６３】
ステップＳ４０１において、携帯電話機２００のＣＰＵ２１１が、充電器６０へユーザ特定データを送信する。ユーザ特定データとは、携帯電話機２００のユーザを特定できるためのデータであり、携帯電話の番号であってもよいし、所定のＷｅｂサービスでユーザが使用しているＩＤであってもよい。
【００６４】
ステップＳ４０２において、充電器６０は、ユーザ特定データを携帯電話機２００より受信して、記憶部６３に記憶する。
【００６５】
次に、ステップＳ４０３において、店舗端末５０の制御部５２とデータ読取部５１は、充電器６０からユーザ特定データと、充電器６０に予め記憶されていた広告データを読取る。この処理に応じて、ステップＳ４０４において、充電器６０は、ユーザ特定データと広告データとを店舗端末５０のデータ読取部５１に送信する。
【００６６】
ステップＳ４０５において、店舗端末５０は、ユーザ特定データと広告データとを受信し、ステップＳ４０６において、店舗端末５０の通信部５３が、ユーザ特定データと広告データとを広告配信サーバ１０に送信する。
【００６７】
ステップＳ４０７において、広告配信サーバ１０は、ユーザ特定データと広告データとを店舗端末５０から受信し、記憶する。広告配信サーバ１０は、受信したユーザ特定データと広告データとを関係付けて記憶するが、この際に、ユーザ・データベース１１のユーザＩＤと関係付けて、記憶する。
【００６８】
すなわち、広告配信サーバ１０は、ユーザ特定データとユーザ・データベース１１に記憶されたユーザＩＤとを比較して、関係付けを行う。すなわち、図１１に示すように、広告配信サーバ１０は、ユーザＩＤと、ユーザ特定データと、広告データとを関係付けてテーブルとして記憶する。
【００６９】
ユーザＩＤとユーザ特定データの関係付けについては、例えば、携帯電話機２００のユーザは、ユーザ端末２０を介して、広告配信サーバ１０にユーザＩＤを予め登録しておき、ユーザが、携帯電話機２００にも、このユーザＩＤを予め記憶しておくことで、関係付けることができる態様であってよい。
【００７０】
また、他の実施態様としては、図１１のユーザＩＤ「ＢＢＢ」に示すように、広告配信サーバ１０に、携帯電話機２００の電話番号を予め登録しておき、ユーザ特定データが携帯電話機２００の電話番号であることで、関係付けることができる態様であってよい。
【００７１】
ステップＳ４０８において、広告配信サーバ１０は、当該ユーザＩＤに該当するユーザが広告配信サーバ１０にアクセスし、ログインした際に表示するデータ（広告データの詳細データ）を抽出する。図１１に示すように、ここで抽出したデータは、ユーザＩＤごとに関係付けて記憶する。
【００７２】
次に、ステップＳ４０９にて、ユーザ端末２０から、広告配信サーバ１０へのＵＲＬアクセスが行われる。これに応じて、ステップＳ４１０にて、広告配信サーバ１０は、ユーザＩＤの入力をユーザに促すことで、ユーザ認証を行う。ここで、ユーザ認証は、ユーザ端末２０のＷｅｂブラウザのクッキーの利用や、アクセスするＩＰアドレスの判別により、自動的にユーザ認証を行う態様であってもよい。
【００７３】
ステップＳ４１１にて、ユーザ認証後に、広告配信サーバ１０は、抽出しておいたログインした際に表示するデータ（広告データの詳細データ）を送信する。ここで、広告データの詳細データとは、広告データに関連し、広告について広告データよりも、さらに情報量が多く、詳細な情報を含むデータである。
【００７４】
ステップＳ４１２にて、ユーザ端末２０は、広告配信サーバ１０から受信したデータ（広告データの詳細データ）を表示する。
【００７５】
図１２は、ユーザ端末２０に広告データの詳細データを表示した際の表示例である。すなわち、ＡＡＡさんであることのユーザ認証がされた後に、充電器６０に記憶された広告データに関連した広告データの詳細データ３００が、ユーザ端末２０に表示されている。
【００７６】
したがって、携帯電話機２００にて使用した充電器６０に記憶された広告データに関連したデータが、この携帯電話機２００のユーザが使うユーザ端末２０に送信されるため、携帯電話機２００における広告配信とユーザ端末２０における広告配信を連動させることが可能となる。すなわち、充電器６０を使用するために、携帯電話機２００で視認した広告データに関連した広告を、ユーザ端末２０においても視認させることが可能である。
【００７７】
［広告配信サーバのハードウェア構成］
図１３は、広告配信サーバ１０のハードウェア構成の一例を示す図である。広告配信サーバ１０は、制御部１０ａを構成するＣＰＵ（Ｃｅｎｔｒａｌ  Ｐｒｏｃｅｓｓｉｎｇ  Ｕｎｉｔ）１０１０（マルチプロセッサ構成ではＣＰＵ１０１２等複数のＣＰＵが追加されてもよい）、バスライン１００５、通信Ｉ／Ｆ１０４０、メインメモリ１０５０、ＢＩＯＳ（Ｂａｓｉｃ  Ｉｎｐｕｔ  Ｏｕｔｐｕｔ  Ｓｙｓｔｅｍ）１０６０、ＵＳＢポート１０９０、Ｉ／Ｏコントローラ１０７０、並びにキーボード及びマウス１１００等の入力手段や表示装置１０２２を備える。
【００７８】
Ｉ／Ｏコントローラ１０７０には、テープドライブ１０７２、ハードディスク１０７４、光ディスクドライブ１０７６、半導体メモリ１０７８、等の記憶手段を接続することができる。
【００７９】
ＢＩＯＳ１０６０は、広告配信サーバ１０の起動時にＣＰＵ１０１０が実行するブートプログラムや、広告配信サーバ１０のハードウェアに依存するプログラム等を格納する。
【００８０】
記憶部１０ｂを構成するハードディスク１０７４は、広告配信サーバ１０が本発明の機能を実行するためのプログラムを記憶しており、更に必要に応じて各種データベースを構成可能である。
【００８１】
光ディスクドライブ１０７６としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク１０７７を使用する。光ディスク１０７７から光ディスクドライブ１０７６によりプログラムまたはデータを読み取り、Ｉ／Ｏコントローラ１０７０を介してメインメモリ１０５０またはハードディスク１０７４に提供することもできる。また、同様にテープドライブ１０７２に対応したテープメディア１０７１を主としてバックアップのために使用することもできる。
【００８２】
広告配信サーバ１０に提供されるプログラムは、ハードディスク１０７４、光ディスク１０７７、またはメモリカード等の記録媒体に格納されて提供される。このプログラムは、Ｉ／Ｏコントローラ１０７０を介して、記録媒体から読み出され、または通信Ｉ／Ｆ１０４０を介してダウンロードされることによって、広告配信サーバ１０にインストールされ実行されてもよい。
【００８３】
前述のプログラムは、内部または外部の記憶媒体に格納されてもよい。ここで、記憶部１０ｂを構成する記憶媒体としては、ハードディスク１０７４、光ディスク１０７７、またはメモリカードの他に、ＭＤ等の光磁気記録媒体、テープ媒体を用いることができる。また、専用通信回線やインターネットに接続されたサーバシステムに設けたハードディスク１０７４または光ディスクライブラリ等の記憶装置を記録媒体として使用し、通信回線を介してプログラムを広告配信サーバ１０に提供してもよい。
【００８４】
ここで、表示装置１０２２は、ユーザにデータの入力を受け付ける画面を表示したり、広告配信サーバ１０による演算処理結果の画面を表示したりするものであり、ブラウン管表示装置（ＣＲＴ）、液晶表示装置（ＬＣＤ）等のディスプレイ装置を含む。
【００８５】
ここで、入力手段は、ユーザによる入力の受付を行うものであり、キーボード及びマウス１１００等により構成してよい。
【００８６】
また、通信Ｉ／Ｆ１０４０は、広告配信サーバ１０を専用ネットワークまたは公共ネットワークを介して端末と接続できるようにするためのネットワーク・アダプタである。通信Ｉ／Ｆ１０４０は、モデム、ケーブル・モデム及びイーサネット（登録商標）・アダプタを含んでよい。
【００８７】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【図面の簡単な説明】
【００８８】
【図１】本発明の一実施形態に係る携帯電話機の動作内容を示す概念図である。
【図２】本発明の一実施形態に係る携帯端末装置のハードウェア構成の一例を示す図である。
【図３】本発明の一実施形態に係る携帯電話機が実行する広告データ記憶処理を示すフローチャートである。
【図４】本発明の一実施形態に係る充電器が実行する充電器の広告データ送信処理を示すフローチャートである。
【図５】本発明の一実施形態に係る広告データを示す広告データテーブルである。
【図６】本発明の一実施形態に係る携帯電話機が実行する広告データ表示処理を示すフローチャートである。
【図７】本発明の一実施形態に係る携帯電話機が、広告データを表示させたことを示す画面表示図である。
【図８】本発明の一実施形態に係る携帯電話機が、広告データを表示させたことを示す画面表示図である。
【図９】本発明の一実施形態に係る広告配信サーバを含むシステムの構成図である。
【図１０】本発明の一実施形態に係る携帯電話機、充電器、店舗端末、広告配信サーバ、ユーザ端末が実行する処理を示すフローチャートである。
【図１１】本発明の一実施形態に係るユーザ特定データと、広告データとを関係付たテーブルを示す図である。
【図１２】本発明の一実施形態に係るユーザ端末に広告データの詳細データを表示した際の画面表示例である。
【図１３】本発明の一実施形態に係る広告配信サーバのハードウェア構成の一例を示す図である
【符号の説明】
【００８９】
１０  広告配信サーバ
１１  ユーザ・データベース
２０  ユーザ端末
５０  店舗端末
６０  充電器
６１  インターフェース部
２００  携帯電話機
２１０  インターフェース部
３００  詳細データ
【図１】
0005197104.tif 000002
【図２】
0005197104.tif 000003
【図３】
0005197104.tif 000004
【図４】
0005197104.tif 000005
【図５】
0005197104.tif 000006
【図６】
0005197104.tif 000007
【図７】
0005197104.tif 000008
【図８】
0005197104.tif 000009
【図９】
0005197104.tif 000010
【図１０】
0005197104.tif 000011
【図１１】
0005197104.tif 000012
【図１２】
0005197104.tif 000013
【図１３】
0005197104.tif 000014